(57)【特許請求の範囲】
【請求項１】
伸縮性を有する競技用ウェアの生地本体よりも伸縮度の強い素材から成る姿勢制御用生地を競技用ウェアの生地本体裏面に縫製または接着し、該姿勢制御用生地は胸部と肩部と背中部は帯状に延びて両大腿部とを連続的に覆う形状となし、該姿勢制御用生地は競技者が前傾姿勢を採ったとき、その引張り力により該前傾姿勢が楽に採れるよう縫製または接着されたこと、
を特徴とするスポーツ競技姿勢を制御する競技用衣服。
【請求項２】
伸縮性を有する素材にて交編または交織される競技用ウェアの生地本体において、該生地本体の中に切り替えしにより生地本体よりも伸縮度の強い交編部または交織部を加え、該交編部または交織部を姿勢制御用生地部となし、該姿勢制御用生地部は胸部と肩部と背中部は帯状に延びて両大腿部とを連続的に覆う形状となし、該姿勢制御用生地部は競技者が前傾姿勢を採ったとき、その引張り力により該前傾姿勢が楽に採れるよう縫製されたこと、
を特徴とするスポーツ競技姿勢を制御する競技用衣服。
【請求項３】
伸縮性を有する競技用アンダーウェアに該アンダーウェアの生地本体よりも伸縮度の強い素材から成る姿勢制御用生地をアンダーウェアの生地本体表面または生地本体裏面に縫製または接着し、該姿勢制御用生地は胸部と肩部と背中部は帯状に延びて両大腿部とを連続的に覆う形状となし、該姿勢制御用生地は競技者が前傾姿勢を採ったとき、その引張り力により該前傾姿勢が楽に採れるよう縫製または接着されたこと、
を特徴とするスポーツ競技姿勢を制御する競技用衣服。
【請求項４】
伸縮性を有する素材にて交編または交織される競技用アンダーウェアの生地本体において、該生地本体の中に切り替えしにより生地本体よりも伸縮度の強い交編部または交織部を加え、該交編部または交織部を姿勢制御用生地部となし、該姿勢制御用生地部は胸部と肩部と背中部は帯状に延びて両大腿部とを連続的に覆う形状となし、該姿勢制御用生地部は競技者が前傾姿勢を採ったとき、その引張り力により該前傾姿勢が楽に採れるよう縫製されたこと、
を特徴とするスポーツ競技姿勢を制御する競技用衣服。
【請求項５】
前記姿勢制御用生地において前記帯状の背中部は伸長された状態にて縫製または接着されていること、
を特徴とする請求項１記載のスポーツ競技姿勢を制御する競技用衣服。
【請求項６】
前記姿勢制御用生地部において前記帯状の背中部は伸長された状態に交編または交織されていること、
を特徴とする請求項２記載のスポーツ競技姿勢を制御する競技用衣服。
【請求項７】
前記姿勢制御用生地において前記帯状の背中部は伸長された状態にて縫製または接着されていること、
を特徴とする請求項３記載のスポーツ競技姿勢を制御する競技用衣服。
【請求項８】
前記姿勢制御用生地部において前記帯状の背中部は伸長された状態に交編または交織されていること、
を特徴とする請求項４記載のスポーツ競技姿勢を制御する競技用衣服。
【請求項９】
前記姿勢制御用生地、または姿勢制御用生地部は、ポリアミド系、ポリウレタン系の伸縮度の強い伸縮性繊維をメッシュ状に交編または交織して構成されていること、
を特徴とする請求項１乃至請求項８の何れかに記載されたスポーツ競技姿勢を制御する競技用衣服。
【請求項１０】
競技用ウェアにおいて、伸縮性を有する競技用ウェアの生地本体よりも伸縮度の強い素材から成る姿勢制御用生地が胸部と肩部と背中部は帯状に延びて両大腿部とを連続的に覆う形状を有しており、該姿勢制御用生地は競技用ウェアの生地本体表面に縫製または接着し、または該姿勢制御用生地を競技用ウェアの生地表面に縫製または接着した後、該姿勢制御用生地を前記競技用ウェアの生地本体で覆うよう構成し、該姿勢制御用生地は競技者が前傾姿勢を採ったとき、その引張り力により該前傾姿勢が楽に採れるよう縫製または接着されたこと、
を特徴とするスポーツ競技姿勢を制御する競技用衣服。
【請求項１１】
前記姿勢制御用生地、または姿勢制御用生地部の伸縮度の強さを、身体に対応する部位毎に変え一律の伸縮度とはしないこと、
を特徴とする請求項１乃至請求項１０の何れかに記載されたスポーツ競技姿勢を制御する競技用衣服。
【発明の詳細な説明】
【技術分野】
【０００１】
本発明は、スキーのダウンヒル、スピードスケート等、１／１００秒を競うスポーツ競技において、選手が着用することにより当該スポーツ競技の基本姿勢である前傾姿勢を維持して制御できる競技用ウェア、より詳細には、スピードスケート競技用ウェア、ダウンヒル等のスキー競技用ウェア、競技用アンダーウェア等を広く含む競技用ウェアに関するものである。
【０００２】
スポーツ競技の中でも、スキーのダウンヒル、スピードスケート等においては、例えば、競技中に疲れがでてくると基本の前傾姿勢を維持できなくなり、基本姿勢が崩れて変わると投影面積が増えることにより空気抵抗が増大して良い記録が生じないことが明らかである。
【０００３】
而して、本発明は、特にスキーのダウンヒル、スピードスケート等、１／１００秒を競うスポーツ競技において、競技用ウェアの中に当該スポーツ競技のプレイにおける最良の基本基本姿勢、即ち、前傾姿勢を維持して制御するための機構を備え、選手が競技中に前傾姿勢を維持できるように補助して疲労の軽減を図り、該基本姿勢を維持することにより低抵抗の最良の姿勢を維持できるよう制御可能とする競技用ウェア並びに競技用アンダーウェアを提供するものである。
【背景技術】
【０００４】
従来、スポーツウェアにおいて、被服圧を加えることにより、筋力の補強や筋力を強化して運動機能の増大を促すものが、特許文献１（特許第３０１２８１９号公報）や特許文献２（特開２００５−１４６４５０号公報）にて開示されている。
【０００５】
更に、特許文献３（特開２００１−３２１０４号公報）には、女子の競泳用水着において、体幹部から大腿部や下腿部まで連続的に生地で覆い、男子の競泳用水着においては、ウエスト部から大腿部や下腿部まで覆うか、もしくは体幹部から大腿部や下腿までを連続的に生地で覆うことで、該競泳水着に用いられる伸縮性生地の作用に由来する体長方向のサポート力により、競技者は競泳中に頭部の位置に対して腰、膝、足先の位置を水面に対して平行な姿勢を保つことが容易になり、該姿勢の保持により抵抗を軽減する技術が開示されている。
【０００６】
然しながら、本発明の如く、スキーのダウンヒル、スピードスケート等、１／１００秒を競うスポーツ競技において、競技用ウェアの中に当該スポーツ競技のプレイにおける最良の基本姿勢である前傾姿勢を維持して制御するための機構を備え、選手が競技中に同一前傾姿勢を維持できるように補助して疲労の軽減を図り、該前傾姿勢を維持することで低抵抗の最良の姿勢を維持できるよう制御する競技用ウェアを提供するものは皆無であった。
【特許文献１】特許第３０１２８１９号公報
【特許文献２】特開２００５−１４６４５０号公報
【特許文献３】特開２００１−３２１０４号公報
【発明の開示】
【発明が解決しようとする課題】
【０００７】
スポーツ競技の中でもスキーのダウンヒル、スピードスケート等においては、例えば、競技中に疲れがでてくると基本の前傾姿勢を、競技選手は最早維持できなくなり、基本姿勢が変わってしまい投影面積が増えることにより空気抵抗が増大して良い記録が生じないことは明らかである。
【０００８】
而して、本発明は、スキーのダウンヒル、スピードスケート等、１／１００秒を競うスポーツ競技において、競技用ウェアの中に当該スポーツ競技のプレイにおける最良の基本姿勢である前傾姿勢を維持して制御するための機構を備え、選手が競技中に同一前傾姿勢を常時維持できるように補助して疲労の軽減を図り、該前傾姿勢を維持することで低抵抗の最良の姿勢を維持できるよう制御する競技用ウェアを提供するものである。
【課題を解決するための手段】
【０００９】
本発明は、伸縮性を有する競技用ウェアの生地本体よりも伸縮度の強い素材から成る姿勢制御用生地を競技用ウェアの生地本体裏面に縫製または接着し、該姿勢制御用生地は胸部と肩部と背中部は帯状に延びて両大腿部とを連続的に覆う形状となし、該姿勢制御用生地は競技者が前傾姿勢を採ったとき、その引張り力により該前傾姿勢が楽に採れるよう縫製または接着されたことを特徴とするスポーツ競技姿勢を制御する競技用衣服を提供するものである。
【００１０】
また、本発明は、伸縮性を有する素材にて交編または交織される競技用ウェアの生地本体において、該生地本体の中に切り替えしにより生地本体よりも伸縮度の強い交編部または交織部を加え、該交編部または交織部を姿勢制御用生地部となし、該姿勢制御用生地部は胸部と肩部と背中部は帯状に延びて両大腿部とを連続的に覆う形状となし、該姿勢制御用生地部は競技者が前傾姿勢を採ったとき、その引張り力により該前傾姿勢が楽に採れるよう縫製されたことを特徴とするスポーツ競技姿勢を制御する競技用衣服を提供するものである。
【００１１】
また、本発明は、伸縮性を有する競技用アンダーウェアに該アンダーウェアの生地本体よりも伸縮度の強い素材から成る姿勢制御用生地をアンダーウェアの生地本体表面または生地本体裏面に縫製または接着し、該姿勢制御用生地は胸部と肩部と背中部は帯状に延びて両大腿部とを連続的に覆う形状となし、該姿勢制御用生地は競技者が前傾姿勢を採ったとき、その引張り力により該前傾姿勢が楽に採れるよう縫製または接着されたことを特徴とするスポーツ競技姿勢を制御する競技用衣服を提供するものである。
【００１２】
また、本発明は、伸縮性を有する素材にて交編または交織される競技用アンダーウェアの生地本体において、該生地本体の中に切り替えしにより生地本体よりも伸縮度の強い交編部または交織部を加え、該交編部または交織部を姿勢制御用生地部となし、該姿勢制御用生地部は胸部と肩部と背中部は帯状に延びて両大腿部とを連続的に覆う形状となし、該姿勢制御用生地部は競技者が前傾姿勢を採ったとき、その引張り力により該前傾姿勢が楽に採れるよう縫製されたことを特徴とするスポーツ競技姿勢を制御する競技用衣服を提供するものである。
【００１３】
また、本発明は、前記姿勢制御用生地において前記帯状の背中部は伸長された状態にて縫製または接着されていることを特徴とする前記スポーツ競技姿勢を制御する競技用衣服を提供するものである。
【００１４】
また、本発明は、前記姿勢制御用生地部において前記帯状の背中部は伸長された状態に交編または交織されていることを特徴とする前記スポーツ競技姿勢を制御する競技用衣服を提供するものである。
【００１７】
また、本発明は、前記姿勢制御用生地、または姿勢制御用生地部は、ポリアミド系、ポリウレタン系の伸縮度の強い伸縮性繊維をメッシュ状に交編または交織して構成されていることを特徴とする前記スポーツ競技姿勢を制御する競技用衣服を提供するものである。
【００１８】
また、本発明は、競技用ウェアにおいて、伸縮性を有する競技用ウェアの生地本体よりも伸縮度の強い素材から成る姿勢制御用生地が胸部と肩部と背中部は帯状に延びて両大腿部とを連続的に覆う形状を有しており、該姿勢制御用生地は競技用ウェアの生地本体表面に縫製または接着し、または該姿勢制御用生地を競技用ウェアの生地表面に縫製または接着した後、該姿勢制御用生地を前記競技用ウェアの生地本体で覆うよう構成し、該姿勢制御用生地は競技者が前傾姿勢を採ったとき、その引張り力により該前傾姿勢が楽に採れるよう縫製または接着されたことを特徴とするスポーツ競技姿勢を制御する競技用衣服を提供するものである。
また、本発明は、前記姿勢制御用生地、または姿勢制御用生地部の伸縮度の強さを、身体に対応する部位毎に変え一律の伸縮度とはしないことを特徴とする前記スポーツ競技姿勢を制御する競技用衣服を提供するものである。
【発明の効果】
【００１９】
而して、本発明は、上述の課題の解決手段を用いることにより、スキーのダウンヒル、スピードスケート等、１／１００秒を競うスポーツ競技において、競技用ウェアの中に当該スポーツ競技のプレイにおける最良の基本姿勢である前傾姿勢を維持して制御するための機構を備え、選手が競技中に同一前傾姿勢を維持できるように補助して疲労の軽減を図り、該前傾姿勢を維持することで低抵抗の最良の姿勢を維持できるよう制御する競技用ウェアを提供することができた。
【００２０】
従って、スポーツ競技の中でもスキーのダウンヒル、スピードスケート等においては、例えば、競技中に競技者が疲労してくると基本の前傾姿勢が維持できなくなり、該基本姿勢が崩れて姿勢が変わってしまうと、投影面積が増え空気抵抗が増大するので、好記録が期待できなくなるが、本発明は、この点を防止して好記録が期待できる競技用ウェア並びに競技用アンダーウェアを提供することができた。
【発明を実施するための最良の形態】
【００２１】
本発明は、伸縮性を有する競技用ウェアの生地本体よりも伸縮度の強い素材から成る姿勢制御用生地を競技用ウェアの生地裏面に縫製または接着し、該姿勢制御用生地は胸部と肩部を覆い背中部は帯状に延びて両大腿部を覆う形状となし、該姿勢制御用生地は競技者が前傾姿勢を採ったとき背中側より前傾姿勢を引っ張り、該前傾姿勢が楽に採れるよう縫製されていることが好ましい。
【００２２】
本発明は、伸縮性を有する素材にて交編または交織される競技用ウェアの生地本体において、該生地本体の中に切り替えしにより生地本体よりも伸縮度の強い交編部または交織部を加え、該交編部または交織部を姿勢制御用生地部となし、該姿勢制御用生地部は胸部と肩部を覆い背中部は帯状に延びて両大腿部を覆う形状となし、該姿勢制御用生地部は競技者が前傾姿勢を採ったとき背中側より前傾姿勢を引っ張り、該前傾姿勢が楽に採れるよう縫製されていることが好ましい。
【００２３】
本発明は、伸縮性を有する競技用アンダーウェアに該アンダーウェアの生地本体よりも伸縮度の強い素材から成る姿勢制御用生地をアンダーウェアの生地表面または生地裏面に縫製または接着し、該姿勢制御用生地は胸部と肩部を覆い背中部は帯状に延びて両大腿部を覆う形状となし、該姿勢制御用生地は競技者が前傾姿勢を採ったときに背中側より前傾姿勢を引っ張り、該前傾姿勢が楽に採れるよう縫製されていることが好ましい。
【００２４】
本発明は、伸縮性を有する素材にて交編または交織される競技用アンダーウェアの生地本体において、該生地本体の中に切り替えしにより生地本体よりも伸縮度の強い交編部または交織部を加え、該交編部または交織部を姿勢制御用生地部となし、該姿勢制御用生地部は胸部と肩部を覆い背中部は帯状に延びて両大腿部を覆う形状となし、該姿勢制御用生地部は競技者が前傾姿勢を採ったときに背中側より前傾姿勢を引っ張り、該前傾姿勢が楽に採れるよう縫製されていることが好ましい。
【００２５】
而して、本発明は、前記形態に付加して、前記競技用ウェアの生地裏面に縫製または接着される伸縮度の強い素材から成る姿勢制御用生地が、胸部と肩部を覆い背中部は帯状に延び両大腿部を覆う形状を有しており、該構成において前記帯状の背中部は緊締された状態にて競技用ウェアの生地裏側に縫製または接着されていることが好ましい。
【００２６】
また、本発明は、前記競技用ウェアの生地本体の中に切り替えしにより形成され生地本体よりも伸縮度の強い交編部または交織部から成る姿勢制御用生地が、胸部と肩部を覆い背中部は帯状に延び両大腿部を覆う形状を有しており、該構成において前記帯状の背中部は緊締された状態に交編または交織されていることが好ましい。
【００２７】
更に、本発明は、前記競技用アンダーウェアの生地表面または生地裏面に縫製または接着される姿勢制御用生地部が、胸部と肩部を覆い背中部は帯状に延び両大腿部を覆う形状を有しており、該構成において前記帯状の背中部は緊締された状態にてアンダーウェアの生地表側または生地裏側に縫製または接着されていることが好ましい。
【００２８】
更にまた、前記競技用アンダーウェアの生地本体の中に切り替えしにより形成され生地本体よりも伸縮度の強い交編部または交織部から成る姿勢制御用生地部が、胸部と肩部を覆い背中部は帯状に延び両大腿部を覆う形状を有しており、該構成において前記帯状の背中部は緊締された状態に交編または交織されていることが好ましい。
【００２９】
本発明において、前記姿勢制御用生地、または姿勢制御用生地部は、ナイロン、ポリウレタン系の伸縮度の強い伸縮性繊維をメッシュ状に交編または交織したパワーメッシュにより胸部と肩部を覆い背中部は帯状に延び両大腿部を覆う形状を有して構成されていることを要旨とする。
【００３０】
更に本発明は、競技用ウェアにおいて、伸縮性を有する競技用ウェアの生地本体よりも伸縮度の強い素材から成る姿勢制御用生地が胸部と肩部を覆い背中部は帯状に延び両大腿部を覆う形状を有しており、該姿勢制御用生地は競技用ウェアの生地表面に縫製または接着し、または該姿勢制御用生地を競技用ウェアの生地表面に縫製または接着した後、該姿勢制御用生地を前記競技用ウェアの生地本体で覆うよう構成したことを要旨としている。
【００３１】
尚、本発明の明細書において単に競技用ウェアと言う場合は、既に〔０００１〕に於いて述べたように、競技用アンダーウェアあるいは競技用水着等をも広く含むものであることを改めて付言しておく。
また、本発明は、主として前述のような１／１００秒を争う競技に最適であるが、それに限らず一般的な競技ウェア、あるいは練習用ウェア等、としても広く用い得ることも当然である。
また、本文中に言う「生地本体よりも強い伸縮度」を、身体に対応する部位毎に変え一律の伸縮度とはしないこと、もまた可能であることも念のため付け加えておきたい。
【実施例１】
【００３２】
図１乃至図２は、本発明の実施例１を説明するもので、図１はスピードスケートの競技用ウェアの断面形状を示す説明図、図２（ａ）、（ｂ）、（ｃ）は実施例１の具体的な構成を説明するもので、スピードスケートの競技用ウェアの姿勢制御用生地の形状と配置を示している。そして、図２（a）は本発明のスポーツ競技姿勢を制御する競技用ウェアを示す正面図であり、図２（ｂ）は図２（ａ）の側面図、図２（ｃ）は図２（ａ）の背面図を示している。
【００３３】
図１において、１は競技用ウェアの生地本体、２は姿勢制御用生地で、該競技用生地本体１と姿勢制御用生地２は縫製または接着にて一体化されており本発明のスポーツ競技姿勢を制御する競技用ウェア３が構成されている。
尚、図１において、４は生地表面、５は生地裏面として図示している。
【００３４】
而して、図２（ａ）、（ｂ）、（ｃ）は前記競技用ウェアの生地本体１の生地裏面５に縫製または接着されている姿勢制御用生地２の形状、並びに配置を示している。
【００３５】
而して、実施例１は、特にスキーのダウンヒル、スピードスケート等、１／１００秒を競うスポーツ競技において、競技用ウェアの中に当該スポーツ競技のプレイにおける最良の基本姿勢である前傾姿勢を維持して制御するための機構を備え、選手が競技中に同一前傾姿勢を維持できるように補助して疲労の軽減を図り、該前傾姿勢を維持することで低抵抗の最良の姿勢を維持できるよう制御する競技用ウェア、並びに競技用アンダーウェアに関して説明する。
【００３６】
図２に基づいて、実施例１を順次説明すれば、伸縮性を有する競技用ウェアの生地本体１よりも伸縮度の強い素材から成る姿勢制御用生地２を競技用ウェアの生地裏面５に縫製または接着し、該姿勢制御用生地２が競技時に前傾姿勢を採ったとき背中側より前傾姿勢を引っ張り、該前傾姿勢が楽に採れるよう縫製されたスポーツ競技姿勢を制御する競技用ウェア３を提供している。
【００３７】
前記競技用ウェア３の生地１裏面５に縫製または接着される伸縮度の強い素材から成る姿勢制御用生地２は、胸部６と肩部７を覆い背中部８は帯状に延びて両大腿部９を覆う形状となし、前記帯状の背中部８が緊締された状態にて競技用ウェア３の生地裏面５に縫製、または一般的手法による所謂スポット接着やパウダー接着手法にて固着されている。
【００３８】
また、図２において、他の実施例１を説明すれば、伸縮性を有する素材にて交編または交織される競技用ウェアの生地本体１において、該生地本体１は一枚の生地で構成され、且つ、該生地１の中に切り替えしにより生地本体１よりも伸縮度の強い交編部または交織部を加え、該交編部または交織部を姿勢制御用生地部２’となし、該姿勢制御用生地部２’が競技時に前傾姿勢を採ったとき背中部８より前傾姿勢を引っ張り、該前傾姿勢が楽に採れるよう縫製されたスポーツ競技姿勢を制御する競技用ウェア３を提供している。
【００３９】
前記競技用ウェア３の生地本体１の中に切り替えしにより形成され生地本体１よりも伸縮度の強い交編部または交織部から成る姿勢制御用生地部２’は、胸部６と肩部７を覆い背中部８は帯状に延びて両大腿部９を覆う形状となし前記帯状の背中部８を緊締された状態に交編または交織されている。
【００４０】
更にまた、実施例１の応用例として伸縮性を有する競技用アンダーウェア１０に該アンダーウェアの生地本体１よりも伸縮度の強い素材から成る姿勢制御用生地２をアンダーウェアの生地表面４、または生地裏面５に縫製または接着し、該姿勢制御用生地２が競技時に前傾姿勢を採ったときに背中部８より前傾姿勢を引っ張り、該前傾姿勢が楽に採れるよう縫製されたスポーツ競技姿勢を制御する競技用アンダーウェアを提供している。
【００４１】
前記競技用アンダーウェア１０の生地表面４または生地裏面５に縫製または接着される姿勢制御用生地２は、胸部６と肩部７を覆い背中部８は帯状に延びて両大腿部９を覆う形状となし前記帯状の背中部８が緊締された状態にてアンダーウェア１０の生地表面４、または生地裏面５に縫製、またはスポット接着やパウダー接着にて固着されている。
【００４２】
更にまた、実施例１は、伸縮性を有する素材にて交編または交織される競技用アンダーウェア１０の生地本体１において、該生地本体１の中に切り替えしにより生地本体１よりも伸縮度の強い交編部または交織部を加え、該交編部または交織部を姿勢制御用生地部２’となし、該姿勢制御用生地部２’が競技時に前傾姿勢を採ったときに背中側より前傾姿勢を引っ張り、該前傾姿勢が楽に採れるよう縫製されたスポーツ競技姿勢を制御する競技用アンダーウェア１０を提供している。
【００４３】
前記競技用アンダーウェア１０の生地本体１の中に切り替えしにより形成され生地本体１よりも伸縮度の強い交編部または交織部から成る姿勢制御用生地部２’は、胸部６と肩部７を覆い背中部８は帯状に延びて両大腿部９を覆う形状となし前記帯状の背中部８を緊締された状態に交編または交織されている。
【００４４】
斯くして、上記、実施例１においは、前記競技用ウェア３や競技用アンダーウェア１０の生地表面４や生地裏面５等に、縫製または接着にて、伸縮度の強い素材からなる姿勢制御用生地２を配置して、競技時に競技者が前傾姿勢を採ると、伸縮度の強い素材、即ち、姿勢制御用生地部２が背中部８側から引っ張ることにより前傾姿勢が楽に採れるように配置した。
【００４５】
また、伸縮性を有する素材にて交編または交織される競技用ウェア３や競技用アンダーウェア１０の生地本体１において、該生地本体１の中に切り替えしにより生地本体１よりも伸縮度の強い交編部または交織部を加え、該交編部または交織部を姿勢制御用生地部２’となし、該姿勢制御用生地部２’が競技時に競技者が前傾姿勢を採ると、伸縮度の強い素材部、即ち、姿勢制御用生地部２’が背中部８側から引っ張ることにより前傾姿勢が楽に採れるように配置した。従って通常の直立時には、前傾姿勢を採りやすくしているために、逆に苦しくなるが、着用している選手には違和感がなく問題はない。
【実施例２】
【００４６】
図３（ａ）、（ｂ）、（ｃ）は本発明の実施例２を説明するもので、スピードスケートの競技用ウェアの外観を示している。そして、図３（ａ）は本発明のスポーツ競技姿勢を制御する競技用ウェアの生地表側を示す正面図であり、図３（ｂ）は図３（ａ）の側面図、図３（ｃ）は図３（ａ）の背面図を示している。
【００４７】
図３において、１１は長距離スケート競技用の競技用ウェアであって、１２は競技用ウェアの生地表面、２は該競技用ウェア１１の生地表面１２に縫製または接着された伸縮性を有する姿勢制御用生地である。
【００４８】
而して、実施例２は、長距離スケートの競技用ウェア１１等において、伸縮性を有する競技用ウェア１１の生地表面１２よりも伸縮度の強い素材から成る姿勢制御用生地２を競技用ウェアの生地表側１２に縫製、または接着し、或いは、該姿勢制御用生地２を競技用ウェア１１の生地表側１２に縫製または接着した後、該姿勢制御用生地２を前記競技用ウェア１１の生地表面１２で覆うよう構成したスポーツ競技姿勢を制御する競技用ウェアを提供している。
【００４９】
本発明の実施例１乃至２に使用された姿勢制御用生地２、または姿勢制御用生地部２’は、ナイロン、ポリウレタン系の伸縮度の強い伸縮性繊維をメッシュ状に交編または交織した所謂パワーメッシュにより構成されている。
【００５０】
【表１】
0004515981.tif 000002
【００５１】
而して、上記表１は、スピードスケート選手、男子２５人、女子、２０人に通常のスケートウェアと本発明のウェアの比較着用試験をした結果を示している。
表１において、解らないと答えた選手は、種目が長距離のため、解らないとの答えであり、スプリントの選手では、全員この機能が認識でき、前傾姿勢をとることが極めて楽であり、また疲労感が著しく少ないとの回答を得た。
【産業上の利用可能性】
【００５２】
斯くして、本発明は、スキーのダウンヒル、スピードスケート等、１／１００秒を競うスポーツ競技において、競技用ウェアの中に当該スポーツ競技のプレイにおける最良の基本姿勢である前傾姿勢を維持して制御するための機構を備え、選手が競技中に同一基本姿勢を維持できるように補助して疲労の軽減を図り、該前傾姿勢を維持することで低抵抗の最良の姿勢を維持できるよう制御する競技用ウェアを提供するものであると言える。そして該新素材を用いた新規な技術思想を有する競技用ウェアの製造は、産業上頗る利用価値の大きいものである。
【図面の簡単な説明】
【００５３】
【図１】本発明の実施例１を説明する競技用ウェアの部分拡大断面図である。
【図２】本発明の実施例１を説明する正面図、側面図、背面図である。
【図３】本発明の実施例２を説明する正面図、側面図、背面図である。
【符号の説明】
【００５４】
１  競技用ウェアの生地本体
２  姿勢制御用生地
２’姿勢制御用生地部
３  競技用ウェア
４  生地表面
５  生地裏面
６  胸部
７  肩部
８  背中部
９  大腿部
１０  競技用アンダーウェア
１１  長距離スケート競技用の競技用ウェア
１２  競技用ウェアの生地表側
【図１】
0004515981.tif 000003
【図２】
0004515981.tif 000004
【図３】
0004515981.tif 000005